(57)【要約】【課題】  ワインボトルからラベルを容易に且つ綺麗に剥がすことができ、剥がしたラベルを整理整頓して収集できる、ワインラベルの剥離具及び保存具を提供する。【解決手段】  複数のページを保存可能なバインダー状のアルバム本体と、ワインボトルのラベルを剥離する剥離シートと、剥離されたラベルと一体化し、アルバム本体に収納可能な基シートとからなり、アルバム本体は、表紙に展示部が設けられ、展示部は、アルバム本体の表紙の一部を切り抜いた窓孔と、窓孔を塞ぐ透明な蓋部材と、表紙の裏面に基シートを固定する固定部とを備えていることを特徴とする。また、剥離シートは、粘着剤層を備えた透明な粘着シートと、粘着剤層全体を覆う剥離紙からなり、剥離紙は、小幅の第一剥離紙と第二剥離紙からなることを特徴とする。【選択図】  図１
0003112133.tif 000002
【実用新案登録請求の範囲】
【請求項１】
複数のページを保存可能なバインダー状のアルバム本体と、ワインボトルのラベルを剥離する剥離シートと、該剥離されたラベルと一体化し、該アルバム本体に収納可能な基シートとからなり、 前記アルバム本体は、表紙に展示部が設けられ、 該展示部は、該アルバム本体の表紙の一部を切り抜いた窓孔と、該窓孔を塞ぐ透明な蓋部材と、該表紙の裏面に前記基シートを固定する固定部とを備えていることを特徴とするワインボトルのラベル保存用アルバムセット。
【請求項２】
前記剥離シートは、粘着剤層をそなえた透明な粘着シートと、該粘着剤層全体を覆う剥離紙からなり、該剥離紙は、小幅の第一剥離紙と第二剥離紙からなることを特徴とする請求項１に記載のワインボトルのラベル保存用アルバムセット。
【考案の詳細な説明】
【技術分野】
【０００１】
本考案は、ワインボトルに付されているワインラベルを剥離し、保存可能なアルバムセットに関する。
【背景技術】
【０００２】
近年、日本でのワイン消費量が急増し、ワインに触れる機会が増えている。ワインは、非常に多種多様で奥が深いと言われている。日常消費用の低価格なものからヴィンテージと呼ばれる高級品まであり、産地、製造年度、製造方法などによっても、味や風味が異なるとされている。そのため、ワインに魅了される者が増え、好みのワインを収集したり、飲んだワインを記念として保存するようになっている。
【０００３】
しかし、ワインボトルは嵩張るため収集、保存するには相当の空間が必要となり、大量のワインボトルを保管することは非常に困難であった。そこで、ワインボトル以外のもので、そのワインを証明することができるものとして、コルクやワインラベルを収集するようになった。
【考案の開示】
【考案が解決しようとする課題】
【０００４】
しかし、コルク単体ではワインを証明するのが困難であり、何らかの添え書き等を残さないと、他のコルクとの分別が難しい。そのため、分かり易く収集保管するには、非常に面倒であるという問題があった。
【０００５】
これに対し、ワインラベルは、ワインの顔と称される様に、そのワインを証明するには非常に最適である。また、ラベルはシート状であるため、大量に収集しても嵩張らないという利点を有している。
【０００６】
しかし、ワインラベルを剥がす作業は非常に難しく、失敗するとラベルを破損してしまうという問題を有していた。従来のワインラベルを剥がす方法は、水を張った容器にラベル付きのボトルを沈め、ラベルの粘着剤を溶かす。そして、十分に水に浸した後、慎重にラベルをボトルから剥がし、ラベルの水分を乾燥させていた。この方法では、作業が難しく、非常に時間がかかってしまうという問題があった。
【０００７】
以上のことから、ワインボトルからラベルを容易に且つ綺麗に剥がすことができ、剥がしたラベルを整理整頓して収集できる剥離具及び保存具の開発が望まれていた。
【課題を解決するための手段】
【０００８】
上記課題を解決するために本考案に係るワインボトルのラベル保存用アルバムセットは、複数のページを保存可能なバインダー状のアルバム本体と、ワインボトルのラベルを剥離する剥離シートと、剥離されたラベルと一体化し、アルバム本体に収納可能な基シートとからなり、アルバム本体は、表紙に展示部が設けられ、展示部は、アルバム本体の表紙の一部を切り抜いた窓孔と、窓孔を塞ぐ透明な蓋部材と、表紙の裏面に基シートを固定する固定部とを備えていることを特徴とする。
【０００９】
また、剥離シートは、粘着剤層を備えた透明な粘着シートと、粘着剤層全体を覆う剥離紙からなり、剥離紙は、小幅の第一剥離紙と第二剥離紙からなることを特徴とする。
【考案の効果】
【００１０】
本考案に係るワインボトルのラベル保存用アルバムセットは、複数のページを保存可能なバインダー状のアルバム本体と、ワインボトルのラベルを剥離する剥離シートと、剥離シートと一体化し、アルバム本体に収納可能な基シートとからなるため、容易にワインボトルからラベルを剥離できると共に、整理整頓して大量のラベルを収集することができる。
【００１１】
また、アルバム本体は、表紙に展示部が設けられ、展示部は、アルバム本体の表紙の一部を切り抜いた窓孔と、窓孔を塞ぐ透明な蓋部材と、表紙の裏面に基シートを固定する固定部とを備えているため、特定のラベルを窓孔から展示することができ、アルバムの種類分けが容易となる。
【００１２】
また、剥離シートは、粘着剤層を備えた透明な粘着シートと、粘着剤層全体を覆う剥離紙からなり、剥離紙は、小幅の第一剥離紙と第二剥離紙からなるため、ワインボトルからラベルを剥離する時に、第一剥離紙のみを剥がして先にこの部分の粘着シートをボトルに接着させれば、粘着シートを接着する位置を正確に決定でき、位置ずれせずにラベルを剥がすことができる。
【００１３】
更に、第一剥離紙を剥がし部分の粘着剤層をボトルに接着した後、第二剥離紙を剥がして粘着剤層をラベルに被せるため、粘着シートとラベルの間に空気を入れずに接着でき、粘着シートにしわできず、綺麗にラベルを剥がすことができる。また、粘着シートを指で触れる必要が無いため、指紋やゴミ等が粘着剤層に付着せず、綺麗にラベルを保存することができる。
【考案を実施するための最良の形態】
【００１４】
本考案に係るワインボトルのラベル保存用アルバムセット２について図を参照にしながら説明する。図１及び図２は本考案に係るワインボトルのラベル保存用アルバムセット２を示した説明図である。なお、これらの図は本考案を説明するためだけのものであり、本考案を何ら限定するものではない。
【００１５】
上記課題を解決するために本考案に係るワインボトルのラベル保存用アルバムセット２は、複数のページを保存可能なバインダー状のアルバム本体４と、ワインボトル２８のラベル３０を剥離する剥離シート１４と、剥離シート１４と一体化し、アルバム本体４に収納可能な基シート２６とからなる。
【００１６】
図３は本考案に係るアルバム本体４を示した説明図である。アルバム本体４は、図示されたように、バインダー状であるのが良いが、複数のページを収納可能であれば、どの様な手段、構造であっても良い。また、アルバム本体４の表紙は、紙類、プラスチック類、木材、各種金属等が使用でき、使用目的等を考慮して適宜設定することができる。
【００１７】
また、このアルバム本体４は、図示されたように、表紙に展示部６が設けられているのが良い。この展示部６は、アルバム本体４の表紙の一部を切り抜いた窓穴８と、窓穴８を塞ぐ透明な蓋部材１０と、表紙の裏面に基シート２６を固定する固定部１２とを備えている。
【００１８】
窓穴８の形状や大きさ等は、特に限定しないが、１２ｃｍ×１０ｃｍ程度であるのが良い。この大きさは、一般的なワインラベル３０と同じ程度の大きさであるが、必ずしもこの大きさである必要は無い。例えば、ハート形、星形、ワインボトル２８のような形状にしても良く、アルバム本体４と窓穴８のバランス、表紙の強度等を考慮して適宜設定すれば良い。また、窓穴８の周辺に、例えば彫刻、花飾りといった種々の装飾を施しても良い。
【００１９】
また、蓋部材１０としては、アクリル又はガラスを使用するのがよいが、透明で有ればどの様な材料、部材を使用しても良い。例えば、金網、格子、メッシュ等を使用しても良いし、蓋部材１０を設けなくても良い。また、蓋部材１０が無色透明である必要は無く、何らかの色が着色されていても良い。この蓋部材１０は、窓穴８近傍に固定されていても良いし、取り外し可能に設けられていても良い。
【００２０】
また、図３では固定部１２として表紙の裏面に、基シート２６の四隅を係止するための係止部が設けられている。この他にも、基シート２６をスライドさせて差し込む枠を設けても良いし、額縁のように基シート２６を固定する方法でも良く、基シート２６を固定することができれば、固定部１２はどの様な形状、手段、構造であっても良い。
【００２１】
この展示部６を設けることにより、剥離シート１４とラベル３０を一体化した基シート２６を固定部１２で固定すれば、ラベル３０をアルバム本体４の表紙とすることができる。これにより、例えば気に入っているラベル３０や、思い入れの強いラベル３０、シリーズ化して収集しているラベル３０をアルバムの表紙とすることができ、アルバムの分類分けが容易になる。
【００２２】
次に、本考案に係る剥離シート１４は、ワインボトル２８のラベル３０を剥離可能なシート部材を指す。ワインボトル２８からラベル３０を剥がす方法としては、粘着剤によって剥がす方法がある。図５は、粘着剤層１８を設けた剥離シート１４の位置実施の形態を示した説明図である。この剥離シート１４は、粘着剤層１８を備えた透明な粘着シート１６と、粘着剤層１８全体を覆う剥離紙２０からなる。
【００２３】
粘着シート１６としては、無色透明なシートであるのが好ましいが、若干の着色を有していても良い。粘着シート１６の材料としては、ポリ塩化ビニール、合成樹脂等を使用することができるが、粘着剤層１８が容易に剥離せず、強度や可撓性を考慮し、適宜設定すれば良い。粘着シート１６の形状、大きさについても特に限定しないが、１６ｃｍ×１６ｃｍ程度の大きさであるのが良い。この大きさは、一般的なワインラベル３０を粘着シート１６内に納めて接着できる程度の大きさである。この他の大きさでも良く、アルバム本体４及び剥離しようとするワインラベル３０の大きさ等を考慮して適宜設定すればよい。
【００２４】
接着剤層としては、一般的に市販されている接着剤を使用することができ、特に限定はしない。また、ビン又はガラス製ボトル等では、接着及び剥離を何回か行うことができ、紙類に接着した後は剥離困難な接着剤を使用すると更に良い。また、第一剥離紙２２が被覆している部分の粘着剤層１８と、第二剥離紙２４が被覆している部分の粘着剤層１８で使用する粘着剤を別にしても良い。この時、第一剥離紙２２が被覆している部分の粘着剤層１８には、複数回の接着及び剥離が可能な弱粘着力の接着剤を使用し、第二剥離紙２４が被覆している部分の粘着剤層１８には、接着した後の剥離が困難な強粘着力の接着剤を使用しても良い。
【００２５】
剥離紙２０については、粘着シート１６の粘着剤層１８を被覆し、通常時粘着剤層１８の乾燥を防止することができれば、どの様なものを使用しても良い。また、小幅の第一剥離紙２２と第二剥離紙２４とに分けても良い。第一剥離紙２２の幅としては、１ｃｍ程度が良いが、適宜設定すれば良い。
【００２６】
次に、本考案に係る基シート２６は、剥離シート１４と一体化でき、アルバム本体４に収納可能なシート状部材、プレートを指す。図４は、本発明に係る基シート２６を示した説明図である。基シート２６の材料としては、一般的に市販されている紙類、樹脂類、各種金属等を使用することがで、剥離シート１４の形状、構造等も考慮して適宜設定すれば良い。基シート２６の形状及び大きさについても特に限定しないが、剥離シート１４の大きさと同等又はそれよりも若干大きい程度であると良い。
【００２７】
また、基シート２６と剥離シート１４を一体化する手段、方法としては、剥離シート１４を基シート２６に貼り付けて一体化すればよいが、その他にも例えば、ピン等で基シート２６に剥離シート１４を固定しても良いし、基シート２６にも粘着剤層１８を設けても良い。また、剥離シート１４を基シート２６に接着した後、剥離シート１４と基シート２６が剥離できないように一体化されていると更に良い。
【００２８】
また、アルバム本体４がバインダー状である場合は、図４に示されたように、基シート２６にバインダーしろ及びバインダー用穴を設けても良い。また、このバインダーしろは、基シート２６の他の部分と分離可能であっても良い。
【００２９】
また、基シート２６の一方の面には、図４に示されたように、一体化したラベル３０に関する種々の情報を記す記入欄が設けられていても良い。記入欄としては、ワイン名、銘柄、醸造元、種類、製造年月日、購入日、価格、ワインを飲んだ日付、飲んだ場所・場面、色・味・香り・トータルバランス等、感想、といった様な、後日これらの記入を読み返してそのワインを思い出せるような内容を記載できる項目を適宜設定すれば良い。
【００３０】
以上が本考案に係るワインボトルのラベル保存用アルバムセット２についての説明であるが、本考案の目的を逸脱しない限り、種々の条件及び設定は変更が可能である。
【００３１】
次に、本考案に係るワインボトルのラベル保存用アルバムセット２を使用したワインラベル３０の収集方法について、図を参照にしながら説明する。図６〜図９は、ワインボトルのラベル保存用アルバムセット２の使用例を示した説明図である。
【００３２】
まず、ワインボトル２８のラベル３０及びラベル３０近辺の汚れ及び水分を良くふき取る。次に、図６の（１）に示されたように剥離紙２０が付いたままで、剥離シート１４の剥離紙２０とラベル３０を密接させて剥離シート１４を移動し、粘着シート１６に接着させるラベル３０の位置を決める。位置が決定したら、図６の（２）に示されたように、第一剥離紙２２を剥がす。そして、図７の（３）に示されたように、剥離シート１４の位置がずれないように、粘着シート１６をワインボトル２８に巻き付けながら貼る。図７の（４）に示されたように、第一剥離紙２２を剥がした部分の粘着シート１６を先にワインボトル２８に接着させることで、位置決定及び位置変更が容易となる。
【００３３】
次に、図８の（５）に示されたように、第二剥離紙２４を剥がしながら、粘着シート１６をワインボトル２８に巻き付けながら貼る。この時、先にワインボトル２８に貼り付けた部分から徐々に、粘着シート１６とラベル３０の間の空気を押し出しながら、しわができない様に粘着シート１６とラベル３０を密接させる。図８の（６）に示されたように、粘着シート１６を貼り付けた後、粘着シート１６の上からラベル３０表面を固い物でこすり、粘着剤層１８とラベル３０を完全に接着させる。
【００３４】
所定時間経過後に、粘着シート１６をワインラベル３０から剥がすと、粘着シート１６にラベル３０が接着され、図９の（７）に示されたように、ラベル３０が剥離できる。この時、ラベル３０を損傷しないように注意して粘着シート１６を剥がす必要がある。そして、図９の（８）に示されたように、基シート２６に粘着シート１６を貼り付けて一体化し、アルバムに収納する。アルバムに収納した基シート２６の中で、特定の基シート２６をアルバム表紙の展示部６に固定すれば、ラベル３０をアルバムの表紙とすることもできる。
【産業上の利用可能性】
【００３５】
本考案に係るワインボトルのラベル保存用アルバムセットは、基シートにラベルを一体化するため、取り扱いが容易であり、アルバム本体以外にも額縁にも使用することができ、特に気に入ったワインラベルを室内で飾ることも可能である。
【図面の簡単な説明】
【００３６】
【図１】本考案に係るワインボトルのラベル保存用アルバムセットの使用状態を示した説明図である。
【図２】本考案に係るワインボトルのラベル保存用アルバムセットの使用状態を示した説明図である。
【図３】本考案に係るアルバム本体を示した説明図である。
【図４】本考案に係る基シートを示した説明図である。
【図５】本考案に係る剥離シートを示した説明図である。
【図６】ワインボトルのラベル保存用アルバムセットの使用例を示した説明図である。
【図７】ワインボトルのラベル保存用アルバムセットの使用例を示した説明図である。
【図８】ワインボトルのラベル保存用アルバムセットの使用例を示した説明図である。
【図９】ワインボトルのラベル保存用アルバムセットの使用例を示した説明図である。
【符号の説明】
【００３７】
２  ワインボトルのラベル保存用アルバムセット
４  アルバム本体
６  展示部
８  窓穴
１０  蓋部材
１２  固定部
１４  剥離シート
１６  粘着シート
１８  粘着剤層
２０  剥離紙
２２  第一剥離紙
２４  第二剥離紙
２６  基シート
２８  ワインボトル
３０  ラベル
【図１】
0003112133.tif 000003
【図２】
0003112133.tif 000004
【図３】
0003112133.tif 000005
【図４】
0003112133.tif 000006
【図５】
0003112133.tif 000007
【図６】
0003112133.tif 000008
【図７】
0003112133.tif 000009
【図８】
0003112133.tif 000010
【図９】
0003112133.tif 000011